(57)【要約】  【課題】  コマ間が殆ど無い場合やオーバーシーンの影響でコマ間に濃度がのる様な場合であっても、ほぼ正確にベース濃度値を求めることのできるフィルムのベース濃度検出方法を提供する。  【解決手段】  撮像素子で読み取られたフィルム画像からＲＧＢの色成分毎に濃度ヒストグラムを生成し、特定色の濃度ヒストグラムを基準として他色の濃度ヒストグラムを夫々濃度軸方向にシフト及び伸縮させ、伸縮処理後の二つの色成分の組合せによる濃度ヒストグラムの重畳面積を夫々演算導出し、夫々の重畳面積の合計値が最大値となるシフト量及び伸縮率を求める。求められたシフト量及び伸縮率における各濃度ヒストグラムの最小濃度の中の最小値を示す位置をベース濃度位置として元の濃度ヒストグラムにおける色成分毎のベース濃度位置を求め、その位置の濃度をフィルムの色成分毎のベース濃度値として演算導出する。  【選択図】  図３
2006148756.tif 000002
【特許請求の範囲】
【請求項１】
フィルム画像を撮像素子で読取りカラー画像データを生成するフィルム画像入力工程と、前記カラー画像データからＲＧＢの色成分毎に濃度ヒストグラムを生成する濃度ヒストグラム生成工程と、特定色の濃度ヒストグラムを基準として他色の濃度ヒストグラムを夫々濃度軸方向にシフトさせるシフト処理工程と、シフト処理後に他色の濃度ヒストグラムをその最小濃度値を基準として濃度軸方向に伸縮させる伸縮処理工程と、伸縮処理後の二つの色成分の組合せによる濃度ヒストグラムの重畳面積を夫々演算導出する重畳面積演算工程と、演算導出された夫々の重畳面積の合計値が最大値となるシフト量及び伸縮率を求める判別工程と、前記判別工程で求められたシフト量及び伸縮率における各濃度ヒストグラムの最小濃度の中の最小値を示す位置をベース濃度位置として、前記シフト量及び伸縮率に基づいて元の濃度ヒストグラムにおける色成分毎のベース濃度位置を求め、その位置の濃度をフィルムの色成分毎のベース濃度値として演算導出するベース濃度演算工程とからなるフィルムのベース濃度検出方法。
【請求項２】
前記シフト処理工程は、色成分毎の濃度ヒストグラムの最小濃度値の中の最小値に対する各ヒストグラムの最小濃度値との偏差を最大シフト量として前記最小値に向けてシフトする請求項１記載のフィルムのベース濃度検出方法。
【請求項３】
フィルム画像を撮像素子で読取りカラー画像データを生成するフィルム画像入力部と、前記カラー画像データからＲＧＢの色成分毎に濃度ヒストグラムを生成する濃度ヒストグラム生成部と、特定色の濃度ヒストグラムを基準として他色の濃度ヒストグラムを夫々濃度軸方向にシフトさせるシフト処理部と、シフト処理後に他色の濃度ヒストグラムをその最小濃度値を基準として濃度軸方向に伸縮させる伸縮処理部と、伸縮処理後の二つの色成分の組合せによる濃度ヒストグラムの重畳面積を夫々演算導出する重畳面積演算部と、演算導出された夫々の重畳面積の合計値が最大値となるシフト量及び伸縮率を求める判別部と、前記判別部で求められたシフト量及び伸縮率における各濃度ヒストグラムの最小濃度の中の最小値を示す位置をベース濃度位置として、前記シフト量及び伸縮率に基づいて元の濃度ヒストグラムにおける色成分毎のベース濃度位置を求め、その位置の濃度をフィルムのベース濃度値として演算導出するベース濃度演算部とからなるフィルムのベース濃度検出装置。
【請求項４】
前記シフト処理部は、色成分毎の濃度ヒストグラムの最小濃度値の中の最小値に対する各ヒストグラムの最小濃度値との偏差を最大シフト量とする請求項３記載のフィルムのベース濃度検出装置。
【発明の詳細な説明】
【技術分野】
【０００１】
本発明は、フィルムスキャナにより読み取られたネガフィルム等の写真フィルムのベース濃度検出方法及びその装置に関する。
【背景技術】
【０００２】
ネガフィルムに記録された画像を色合いよく感光材料である印画紙に焼き付けるために、画像入力系及び出力系の固有の特性に基づいてフィルムスキャナによってフィルムから読み取られたカラー画像データから、その機差や経時変化によって生じる濃度変動を吸収する必要がある。そのためにフィルムのベース濃度値が検出され、前記カラー画像データからベース濃度分がキャンセルされる。例えば、Ｇ（緑）のベース濃度値にＲ（赤）、Ｂ（青）のベース濃度値が揃えられる。そして、従来、フィルム上の画像コマの間の素抜け領域や上下端部の未露光領域を検出してその領域の濃度を当該フィルムのベース濃度値として求めていた。
【特許文献１】特開平９−３４０２４号公報
【特許文献２】特開平１０−１８６５４１号公報
【発明の開示】
【発明が解決しようとする課題】
【０００３】
しかし、上述したフィルムのコマ間の濃度や上下端部をベース濃度として検出する方法によれば、コマ間が殆ど無い場合やオーバーシーンの影響でコマ間に濃度がのる様な場合には正確に検出できす、その結果、カラー補正にばらつきが生じるという問題があった。
【０００４】
本発明は、上述の従来欠点に鑑み、コマ間が殆ど無い場合やオーバーシーンの影響でコマ間に濃度がのる様な場合であっても、ほぼ正確にベース濃度値を求めることのできるフィルムのベース濃度検出方法及びその装置を提供する点にある。
【課題を解決するための手段】
【０００５】
上述の目的を達成するため、本発明によるフィルムのベース濃度検出方法の第一の特徴構成は、特許請求の範囲の書類の請求項１に記載した通り、フィルム画像を撮像素子で読取りカラー画像データを生成するフィルム画像入力工程と、前記カラー画像データからＲＧＢの色成分毎に濃度ヒストグラムを生成する濃度ヒストグラム生成工程と、特定色の濃度ヒストグラムを基準として他色の濃度ヒストグラムを夫々濃度軸方向にシフトさせるシフト処理工程と、シフト処理後に他色の濃度ヒストグラムをその最小濃度値を基準として濃度軸方向に伸縮させる伸縮処理工程と、伸縮処理後の二つの色成分の組合せによる濃度ヒストグラムの重畳面積を夫々演算導出する重畳面積演算工程と、演算導出された夫々の重畳面積の合計値が最大値となるシフト量及び伸縮率を求める判別工程と、前記判別工程で求められたシフト量及び伸縮率における各濃度ヒストグラムの最小濃度の中の最小値を示す位置をベース濃度位置として、前記シフト量及び伸縮率に基づいて元の濃度ヒストグラムにおける色成分毎のベース濃度位置を求め、その位置の濃度をフィルムの色成分毎のベース濃度値として演算導出するベース濃度演算工程とからなる点にある。
【０００６】
フィルムはメーカーや感度によって特性に差異があるが、一般的にカラー画像データのＲＧＢ色成分にはある程度相関関係があり、特に撮影された物体に無彩色のものが多いほどＲＧＢの相関関係が高くなる。そこで、フィルム画像入力工程で入力されたカラー画像データから生成されたＲＧＢ色成分毎の濃度ヒストグラムに対して、各色成分の濃度ヒストグラムの一致度が最も高くなるように、特定色の濃度ヒストグラムを基準として他色の濃度ヒストグラムを夫々濃度軸方向にシフトさせ、その後に他色の濃度ヒストグラムをその最小濃度値を基準として濃度軸方向に伸縮させるのである。伸縮処理後の二つの色成分の組合せによる濃度ヒストグラムの重畳面積を夫々演算導出し、それらの重畳面積の合計値が最大値をとるときに一致度が最も高くなると判断し、そのときの各色成分の濃度ヒストグラムの中の最小濃度値をフィルムのベース濃度の位置と推定する。そして、そのときのシフト量及び伸縮率に基づいて逆算することにより夫々の元の濃度ヒストグラムにおけるフィルムベース濃度の位置に対応するベース濃度が求まるのである。
【０００７】
同第二の特徴構成は、同請求項２に記載した通り、上述の第一特徴構成に加えて、前記シフト処理工程は、色成分毎の濃度ヒストグラムの最小濃度値の中の最小値に対する各ヒストグラムの最小濃度値との偏差を最大シフト量として前記最小値に向けてシフトする点にある。
【０００８】
上述によれば、特定色の濃度ヒストグラムを基準として他色の濃度ヒストグラムを夫々濃度軸方向にシフトさせる際に、無制限にシフト量を変えても演算時間が無駄に長くなる虞があるところ、各濃度ヒストグラムの最小濃度値の中の最小値に対する各最小濃度値の偏差を最大シフト量として設定し、その設定量の範囲で前記最小値に向けてシフトすることにより、効率的にベース濃度を演算導出することができるようになるのである。
【０００９】
上述のフィルムのベース濃度検出方法を具現化した本発明によるフィルムのベース濃度検出装置の第一の特徴構成は、同請求項３に記載した通り、フィルム画像を撮像素子で読取りカラー画像データを生成するフィルム画像入力部と、前記カラー画像データからＲＧＢの色成分毎に濃度ヒストグラムを生成する濃度ヒストグラム生成部と、特定色の濃度ヒストグラムを基準として他色の濃度ヒストグラムを夫々濃度軸方向にシフトさせるシフト処理部と、シフト処理後に他色の濃度ヒストグラムをその最小濃度値を基準として濃度軸方向に伸縮させる伸縮処理部と、伸縮処理後の二つの色成分の組合せによる濃度ヒストグラムの重畳面積を夫々演算導出する重畳面積演算部と、演算導出された夫々の重畳面積の合計値が最大値となるシフト量及び伸縮率を求める判別部と、前記判別部で求められたシフト量及び伸縮率における各濃度ヒストグラムの最小濃度の中の最小値を示す位置をベース濃度位置として、前記シフト量及び伸縮率に基づいて元の濃度ヒストグラムにおける色成分毎のベース濃度位置を求め、その位置の濃度をフィルムのベース濃度値として演算導出するベース濃度演算部とからなる点にある。
【００１０】
同第二の特徴構成は、同請求項４に記載した通り、上述の第一特徴構成に加えて、前記シフト処理部は、色成分毎の濃度ヒストグラムの最小濃度値の中の最小値に対する各ヒストグラムの最小濃度値との偏差を最大シフト量とする点にある。
【発明の効果】
【００１１】
以上説明した通り、本発明によれば、コマ間が殆ど無い場合やオーバーシーンの影響でコマ間に濃度がのるような場合であっても、ほぼ正確にベース濃度値を求めることのできるフィルムのベース濃度検出方法及びその装置を提供することができるようになった。
【発明を実施するための最良の形態】
【００１２】
以下、本発明の実施の形態を説明する。図１に示すように、写真画像処理装置は、フィルムから画像を読み取りメモリに記憶するフィルム画像入力部１と、フィルム画像入力部１から入力されたカラー画像データに対して所定のデータ処理等を施す画像データ処理部２と、処理後の画像データに基づいて印画紙を露光する露光ヘッドを備えた画像露光部３と、露光された印画紙を現像処理する現像処理部４と、現像処理後の印画紙をコマ単位で切断して排紙する排紙部５と、上述した各機能ブロック全体を統合して作動制御するシステム制御部６とを備えて構成される。
【００１３】
前記フィルム画像入力部１は、例えば現像済みの１３５カラーネガフィルム１０の各コマを読取位置に間歇的に搬送するフィルム搬送部１１と、フィルム１０の各コマの画像を読み取る画像読取部１２とからなり、前記フィルム搬送部１１は、巻取ローラ１１１と、巻取ローラ１１１を回転駆動するフィルム搬送モータ１１２と、フィルム搬送モータ１１２を制御するフィルム搬送制御部１１３とを備えて構成され、前記画像読取部１２は、フィルム１０の下部に配置された光源１１４と、光源１１４の発光強度を制御する光源制御部１１５と、二次元ＣＣＤを備えた撮像素子１１６と、撮像素子１１６による画像の読取制御を行なう読取制御部１１０と、フィルム１０の各コマ画像を撮像素子１１６の受光面に結像させるレンズ１１７と、フィルム１０とレンズ１１７間に設けられ、フィルム１０の画像をＧＲＢの３色に分離する光学フィルタ１１８と、光学フィルタ１１８を切替駆動するフィルタ駆動モータ１１９と、フィルタ駆動モータ１１９を駆動制御するフィルタ切替制御部１２０と、撮像素子１１６で読み取った画像信号をデジタルデータとして記憶する画像データ記憶部１２１とを備えて構成される。前記画像データ記憶部１２１は、撮像素子１１６で読み取られたＲＧＢ夫々のアナログ画像信号を１６ビットの階調レベルでＲＧＢのデジタル画像データに変換するＡ／Ｄ変換器１２２と、Ａ／Ｄ変換器１２２により変換されたＲＧＢ三色のデジタル画像データをコマ単位で格納するＲＡＭ等でなる画像バッファメモリ１２３とを備えて構成される。
【００１４】
前記画像データ処理部２は、画像バッファメモリ１２３に格納された画像データに対して後述のカラー補正や階調補正等の各種の補正処理やレイアウト処理等の所定の処理を実行する際に使用するテーブルデータ等を格納するテーブルメモリ２０と、前記画像バッファメモリ１２３に格納された画像データを読み出してカラー補正処理、階調補正処理、変倍処理等のデータ変換処理を実行する画像処理用ＣＰＵを備えた画像データ変換処理部２１と、画像データ変換処理部２１による画像データの変換処理に用いられ、変換された画像データがコマ単位の最終画像データとしてＲＧＢの色毎に区画された領域に格納される画像処理メモリ２２と、最終画像データの１ライン分の画像データを一時記憶するラインバッファメモリ２３等を備えて構成される。
【００１５】
前記画像露光部３は、ロールカセット３０に巻回されている長尺状の印画紙３１を搬送モータ３７により露光ステーション３３に向けて所定の搬送速度で搬送する印画紙搬送制御部３８を備えた印画紙搬送部３２と、露光ステーション３３に搬送された印画紙３１に対して露光走査するＰＬＺＴ方式の露光ヘッド３４と、露光ヘッド３４を駆動制御する露光ヘッド制御部３５と、ラインバッファメモリ２３からの画像データを印画紙３１の搬送速度に同期した所定のタイミングで露光ヘッド制御部３５に出力する露光制御部３６とを備えて構成される。
【００１６】
前記現像処理部４は、現像液等の現像処理液が充填された処理槽４０と、露光済みのロール印画紙３１を処理槽４０内に搬送して、現像、定着、漂白の各処理がなされたロール印画紙３１を前記排紙部５に搬送する搬送制御部を備えて構成され、前記排紙部５は、現像処理部４で現像処理されたロール印画紙３１を幅方向に切断して１コマ単位に分割するカッター５０と、カッター５０を駆動するカッターモータ５１に対する駆動制御や、切断された印画紙３１を装置外部に排出制御する排紙制御部５２とを備えて構成される。
【００１７】
前記システム制御部６は、制御用ＣＰＵ、制御プログラムが格納されたＲＯＭ、データ処理用のＲＡＭと、各機能ブロックに対する制御用信号入出力回路を備えて構成され、前記制御プログラムに基づいて各機能ブロックが統合制御される。
【００１８】
前記システム制御部６は、前記フィルム画像入力部１を作動させてフィルム一本分の画像を素抜け部をも含めて低解像度で高速に読み取るプレスキャンモードと、同じく前記フィルム画像入力部１を作動させて前記プレスキャンモードで認識されたフィルムのコマ画像のみを高解像度で読み取る本スキャンモードとの２モードに切替えて読取り制御するとともに、前記画像データ処理部２を作動させて、前記プレスキャンモードで読み取られた低解像度の画像についてカラー補正や階調補正等のための補正データを演算導出するプレジャッジ処理を行ない、当該補正データに基づいて本スキャンモードで読み取られた高解像度の画像に対してカラー補正や階調補正を実行させる。
【００１９】
その後、前記印画紙搬送制御部３８を作動させて前記露光ステーション３３に印画紙３１を搬送し、前記露光制御部３６を作動させて画像データ処理部２により処理された補正後のプリントデータに基づいて前記露光ヘッド３４を駆動制御するのである。
【００２０】
以下に、前記画像データ変換処理部２１の主要な機能ブロックの構成を図２に基づいて説明するとともに、その処理内容を図３に示すフローチャートに基づいて説明する。図２に示すように、前記画像データ変換処理部２１は、プレスキャンモードで読込まれた低解像度のカラー画像データからフィルムのベース濃度を求める本発明によるベース濃度検出装置としてのベース濃度検出部２１０と、前記ベース濃度検出部２１０から検出されたフィルムベース濃度を基準としてカラーバランス調整用の補正データを求めるとともに、前記補正データに基づいて前記本スキャンモードで読み取られた高解像度カラー画像データを補正するカラーデータ変換処理部２２０と、階調性補正を行なうスキャナ補正部２３０と、フィルム画像を出力サイズに調整する倍率変換部２４０等を備えて構成される。
【００２１】
前記ベース濃度検出部２１０は、前記画像データ記憶部１２１(図１)に記憶された対象フィルムのカラー画像データからＲＧＢの色成分毎に濃度ヒストグラムを生成する濃度ヒストグラム生成部２１１と、特定色の濃度ヒストグラムを基準として他色の濃度ヒストグラムを夫々濃度軸方向にシフトさせるシフト処理部２１２と、シフト処理後に他色の濃度ヒストグラムをその最小濃度値を基準として濃度軸方向に伸縮させる伸縮処理部２１３と、伸縮処理後の二つの色成分の組合せによる濃度ヒストグラムの重畳面積を夫々演算導出する重畳面積演算部２１４と、演算導出された夫々の重畳面積の合計値が最大値となるシフト量及び伸縮率を求める判別部２１５と、前記判別部２１５で求められたシフト量及び伸縮率における各濃度ヒストグラムの最小濃度の中の最小値を示す位置をベース濃度位置として、前記シフト量及び伸縮率に基づいて元の濃度ヒストグラムにおける色成分毎のベース濃度位置を求め、その位置の濃度をフィルムのベース濃度値として演算導出するベース濃度演算部２１６とを備えて構成される。
【００２２】
図３に示すように、前記プレスキャンモードで前記フィルム画像入力部１によって１３５カラーネガフィルム１本分のフィルム画像が読み取られたカラー画像データが画像バッファメモリ１２３に格納されると（Ｓ１）、前記濃度ヒストグラム生成部２１１により前記カラー画像データに対するＲＧＢ色成分毎の濃度ヒストグラムがテーブルメモリ２０領域に生成される（Ｓ２）。前記濃度ヒストグラムは、図４（ａ）に示すように、横軸を０（濃）から２５５（淡）の２５６段階（８ビット）のスケールで示される階調値とし、縦軸をその階調値に対する度数（画素数）とする二次元座標系に表され、素抜け部を含めた１３５カラーネガフィルム１本分のフィルム画像のＲＧＢ各色成分の濃度分布が把握されるものである。尚、ここで濃度ヒストグラムの横軸の分解能は特に限定するものではなく適宜設定可能である。
【００２３】
生成された濃度ヒストグラムの各階調値に対応する度数のうち、読み込まれた全画素数の０．１％より下の度数をノイズ成分として除去すべく０に設定する（Ｓ３）。このようにしてノイズ成分が除去されたＲＧＢ夫々の濃度ヒストグラムに対して、前記シフト処理部２１２により各色成分の濃度ヒストグラムの一致度が最も高くなるように、特定色の濃度ヒストグラムを基準として他色の濃度ヒストグラムを夫々濃度軸方向にシフトさせ、その後に前記伸縮処理部２１３により他色の濃度ヒストグラムをその最小濃度値を基準として濃度軸方向に伸縮させる。
【００２４】
具体的には、前記シフト処理部２１２は、図５（ａ）に示すＧ成分とＲ成分の濃度ヒストグラムに対して、図５（ｂ）に示すように、Ｇ成分の濃度ヒストグラムを基準として初期に生成されたＲ成分の濃度ヒストグラム（破線で示す）を濃度軸方向、ここでは階調度軸方向に所定量だけシフトさせる（実線で示す）とともに、図６（ａ）に示すＧ成分とＢ成分の濃度ヒストグラムに対して、図６（ｂ）に示すように、Ｇ成分の濃度ヒストグラムを基準として初期に生成されたＢ成分の濃度ヒストグラム（破線で示す）を濃度軸方向、ここでは階調度軸方向に所定量だけシフトさせる（実線で示す）（Ｓ４）。
【００２５】
シフト処理に際しては、色成分毎の濃度ヒストグラムの最小濃度値の中の最小値に対する各ヒストグラムの最小濃度値との偏差を最大シフト量として前記最小値に向けてシフトする。つまり、図４（ａ）に示す場合では、ＲＧＢ各濃度ヒストグラムの最小濃度値（最大階調値Ｒｍａｘ，Ｇｍａｘ，Ｂｍａｘとなる）の中での最小値（階調度の最大値Ｒｍａｘとなる）に対する他の濃度ヒストグラムとの偏差｜Ｒｍａｘ−Ｇｍａｘ｜，｜Ｒｍａｘ−Ｂｍａｘ｜を最大移動量として前記最小値（階調度の最大値Ｒｍａｘとなる）までシフトする。
【００２６】
例えば、Ｇ成分の濃度ヒストグラムを基準としてＲ成分の濃度ヒストグラムをシフト処理する場合には、Ｒの階調度の最大値Ｒｍａｘを基準として予め設定された初期値（−１０スケール（この値は特に制限されるものではなく適宜設定される値である））だけシフトさせ、その後最大シフト量（｜Ｒｍｉｎ−Ｇｍｉｎ｜）に対応するスケールまで１スケールずつ階調度が大きくなる方向にシフトさせる。同様に、Ｂ成分の濃度ヒストグラムをシフト処理する場合には、Ｂ成分の階調度の最大値Ｂｍａｘを基準として予め設定された初期値（−１０スケール）だけシフトさせ、その後最大シフト量（｜Ｒｍｉｎ−Ｂｍｉｎ｜）に対応するスケールまで１スケールずつ階調度が大きくなる方向にシフトさせるのである。
【００２７】
シフト処理の後に、前記伸縮処理部２１３は、Ｒ成分の濃度ヒストグラム及びＢ成分の濃度ヒストグラムの最小階調値を示す位置、つまり図５（ｂ）のＲ成分の濃度ヒストグラムの左端、図６（ｂ）のＢ成分の濃度ヒストグラムの左端が夫々の位置から±１５スケール（この値も特に制限されるものではなく適宜設定される値である）の範囲の各スケールに位置するように段階的に伸縮処理する（Ｓ５）。このときの各成分の濃度ヒストグラムの一例が図５（ｃ）、図６（ｃ）、及び、図７（ｂ）に示されている。尚、図７（ａ）は初期に生成されたＲ成分とＢ成分の濃度ヒストグラムである。
【００２８】
前記重畳面積演算部２１４は、上述のステップＳ４，Ｓ５の処理後の各濃度ヒストグラムの二つの色成分の組合せによる濃度ヒストグラムの重畳面積、つまり、ＧとＲ，ＧとＢ，ＢとＲの夫々の濃度ヒストグラムの重なり部分の面積を演算導出する（Ｓ６）。
【００２９】
前記ステップＳ４からステップＳ６が繰り返され、前記判別部２１５は、前記ステップＳ４からステップＳ６の処理の度に濃度ヒストグラムのＧとＲ，ＧとＢ，ＢとＲの重畳面積の加算値を求める処理を繰り返し（Ｓ７）、当該加算値が最大となるシフト量及び伸縮率を求める（Ｓ８）。図４（ｂ）は加算値が最大値をとるときのシフト処理及び伸縮処理後の各色成分のヒストグラムが示されている。前記ベース濃度演算部２１６は、そのときの各ヒストグラムの最大階調値（最小濃度）の中の最大値（最小値）をベース濃度位置として認識し、当該シフト量及び伸縮率に基づいて図４（ａ）に示す元の濃度ヒストグラムにおける色成分毎のベース濃度位置を逆算して求め、その位置の濃度をフィルムのベース濃度値として演算導出する（Ｓ９）。
【００３０】
前記カラーデータ変換処理部２２０は、求められた当該フィルムのベース濃度を基準に前記判別部２１５で求められたシフト量及び伸縮率をカラーバランス調整用の補正データとして前記テーブルメモリ２０に記憶し、前記本スキャンモードで読み取られた高解像度カラー画像データを補正処理する（Ｓ１０）。つまり、前記本スキャン時に前記画像バッファメモリ１２３に格納された高解像度のコマ画像データの夫々の各画素のＲＧＢ成分を変換処理するのである。例えば、補正データとしてＲ成分のシフト量がＳｒ、伸縮率がＭｒと求まった場合には高解像度のコマ画像データのＲ成分をＳｒだけシフトさせた後にＭｒ倍して新たなＲ成分画素データを演算導出するのである。
【００３１】
以上でカラー補正処理が終了され、引き続きスキャナ補正処理（Ｓ１１）、倍率変換処理（Ｓ１２）、その他必要な処理（Ｓ１３）が実行され、最終の出力画像データが画像処理メモリ２２に格納される（Ｓ１４）。
【００３２】
即ち、図３のフローチャートに示したように、フィルム画像を撮像素子で読取りカラー画像データを生成するフィルム画像入力工程と、前記カラー画像データからＲＧＢの色成分毎に濃度ヒストグラムを生成する濃度ヒストグラム生成工程と、特定色の濃度ヒストグラムを基準として他色の濃度ヒストグラムを夫々濃度軸方向にシフトさせるシフト処理工程と、シフト処理後に他色の濃度ヒストグラムをその最小濃度値を基準として濃度軸方向に伸縮させる伸縮処理工程と、伸縮処理後の二つの色成分の組合せによる濃度ヒストグラムの重畳面積を夫々演算導出する重畳面積演算工程と、演算導出された夫々の重畳面積の合計値が最大値となるシフト量及び伸縮率を求める判別工程と、前記判別工程で求められたシフト量及び伸縮率における各濃度ヒストグラムの最小濃度の中の最小値を示す位置をベース濃度位置として、前記シフト量及び伸縮率に基づいて元の濃度ヒストグラムにおける色成分毎のベース濃度位置を求め、その位置の濃度をフィルムの色成分毎のベース濃度値として演算導出するベース濃度演算工程とからフィルムのベース濃度検出方法が構成されている。
【００３３】
上述の実施形態では、Ｇ成分を基準としてＲ，Ｂ成分のシフト量及び伸縮率を求める例を説明したが、Ｒ成分やＢ成分を基準としてシフト量及び伸縮率を求めるように構成してもよい。
【００３４】
上述の実施形態では、前記ベース濃度検出部２１０が、プレスキャンモードで前記フィルム画像入力部１により読み取られた素抜け部を含む低解像度のカラー画像データに対してベース濃度を検出するものを説明したが、本スキャンモードで前記フィルム画像入力部１により読み取られたコマ画像のみの高解像度のカラー画像データに対しても同様にベース濃度を検出することが可能であることはいうまでもない。
【００３５】
本発明によるフィルムのベース濃度検出装置が搭載された写真画像処理装置としては、特にデジタル露光方式の写真処理装置に好適なものであるが、投影露光方式を採用する写真処理装置にも適用可能である。
【００３６】
本発明は、上述した実施形態に限定されるものではなく、課題を解決するための構成の欄に記載された特徴構成及びそれらの組合せの範囲で同様の作用効果を奏する限りにおいて適宜変更して構成することができるものである。
【図面の簡単な説明】
【００３７】
【図１】本発明によるフィルムのベース濃度検出装置が搭載された写真処理装置の機能ブロック構成図
【図２】画像データ処理部の機能ブロック構成図
【図３】ベース濃度検出方法を説明するフローチャート
【図４】濃度ヒストグラムを示し、（ａ）はフィルムから読み込まれた画像データに基づき生成されたＲＧＢ各濃度ヒストグラム、（ｂ）はシフト処理及び伸縮処理の後のＲＧＢ各濃度ヒストグラム
【図５】濃度ヒストグラムを示し、（ａ）はフィルムから読み込まれた画像データに基づき生成されたＲＧ各濃度ヒストグラム、（ｂ）はシフト処理を説明するＲＧ各濃度ヒストグラム、（ｃ）は伸縮処理を説明するＲＧ各濃度ヒストグラム
【図６】濃度ヒストグラムを示し、（ａ）はフィルムから読み込まれた画像データに基づき生成されたＧＢ各濃度ヒストグラム、（ｂ）はシフト処理を説明するＧＢ各濃度ヒストグラム、（ｃ）は伸縮処理を説明するＧＢ各濃度ヒストグラム
【図７】濃度ヒストグラムを示し、（ａ）はフィルムから読み込まれた画像データに基づき生成されたＲＢ各濃度ヒストグラム、（ｂ）は図５（ｂ）、（ｃ）及び図６（ｂ）、（ｃ）の各シフト処理及び伸縮処理の後のＲＢ各濃度ヒストグラム
【符号の説明】
【００３８】
１：フィルム画像入力部
２０：テーブルメモリ
２１：データ変換処理部
２１０：ベース濃度検出部（ベース濃度検出装置）
２１１：濃度ヒストグラム生成部
２１２：シフト処理部
２１３：伸縮処理部
２１４：重畳面積演算部
２１５：判別部
２１６：ベース濃度演算部
２２０：カラーデータ変換処理部
【図１】
2006148756.tif 000003
【図２】
2006148756.tif 000004
【図３】
2006148756.tif 000005
【図４】
2006148756.tif 000006
【図５】
2006148756.tif 000007
【図６】
2006148756.tif 000008
【図７】
2006148756.tif 000009